(57)【特許請求の範囲】
【請求項１】
複数種の帳票を個別毎に丁合させるものであって、少なくとも第１帳票と所定数の第２帳票とを搬送して丁合させる丁合搬送ラインと、
前記丁合搬送ライン上の所定位置に枚葉毎の第１帳票を供給する第１帳票供給手段と、
前記丁合搬送ライン上の所定位置に枚葉毎の第２帳票を所定数供給する第２帳票供給手段と、
前記第１帳票および所定数の第２帳票の何れかを、丁合対象の帳票に対して丁合位置をずらせて重ね合わさせる位置規制手段と、
前記丁合位置がずらされた第１帳票および所定数の第２帳票に対し、当該ずれ部分で互いに跨らせた一筆状のラインを印字するライン印字手段と、
前記ライン印字手段で印字されたラインを検出するライン検出手段と、
システム全体の駆動を制御するシステム制御手段と、
前記ライン印字手段におけるライン印字を行う印字ヘッドを、前記所定の帳票の寸法範囲内で、丁合された丁合帳票毎に位置を変化させてライン印字させる制御を行う印字処理手段と、
前記ライン検出手段で検出されたラインのずれを判別し、判別結果に応じた信号を前記システム制御手段に出力する丁合判別処理手段と、
を有することを特徴とする帳票丁合システム。
【請求項２】
請求項１記載の帳票丁合システムであって、前記丁合搬送ラインに対して、前記第１および第２帳票以外の種類の帳票を所定種類供給する所定数の帳票供給機構を備え、当該帳票供給機構の設置数に応じた前記位置規制手段が設けられることを特徴とする帳票丁合システム。
【請求項３】
請求項１または２記載の帳票丁合システムであって、前記位置規制手段は位置規制する帳票を前記丁合搬送ラインの搬送方向と垂直方向または同方向にずらせるもので、前記ライン印字手段が前記丁合された帳票に対して当該搬送方向と垂直方向または同方向にライン印字を行うことを特徴とする帳票丁合システム。
【請求項４】
請求項１〜３の少なくとも何れかに記載の帳票丁合システムであって、前記ライン印字手段によるライン印字を、所定波長の励起光を照射することで視認状態となるステルスインクで行わせることを特徴とする帳票丁合システム。
【発明の詳細な説明】
【０００１】
【発明の属する技術分野】
本発明は、所定数の帳票を丁合して封緘体に封入封緘する際の各帳票同士のマッチングを行う帳票丁合システムに関する。
【０００２】
【従来の技術】
近年、複数の帳票を丁合して封筒に封入し、封緘することを自動的に行うようになってきている。特に、帳票がカタログやパンフレット等の送付先顧客によらず同一のものを送付する場合から、送付先顧客毎に所定の内容が異なる可変データを印字、印刷して送付することも一般的となってきており、この場合においても各内容の異なる帳票を丁合して封筒に封入、封緘することを自動的に行えるようになってきている。そのため、送付先毎の複数の帳票を確実に丁合する必要があり、そのようなシステム構成を簡易かつ安価に構築できることが望まれている。
【０００３】
図５に、従来の帳票丁合システムの概略説明図を示す。図５において、帳票丁合システム１０１は、後述の第１帳票および第２帳票をいわゆるタクト搬送する丁合搬送ライン１０２が配置され、第１帳票の供給位置の次タクトの下方に符号読取センサ１０３が配置されると共に、第２帳票の供給位置の次タクトの上方および下方に符号読取センサ１０４Ａ，１０４Ｂが配置される。また、上記丁合搬送ライン１０２に対して、第１帳票供給タクト部分に当該丁合搬送ライン１０２の搬送方向と垂直方向に第１帳票供給機構１０５が配置されると共に、第２帳票供給タクト部分に垂直方向に第２帳票供給機構１０６が配置される。
【０００４】
第１帳票供給機構１０５は、第１帳票が連続した第１連続帳票１０７Ａの供給位置より、順次マークセンサ１０８Ａと撮像カメラ１０９Ａ、ステルス印字部１１０Ａ、マークセンサ１１１Ａ、カッタ部１１２Ａ、搬送ベルト１１４Ａ、折曲部１１５Ａおよび搬送ベルト１１６Ａが配置される。また、第２帳票機構１０６は、第２帳票が連続した第２連続帳票１０７Ｂの供給位置より、順次マークセンサ１０８Ｂ、ステルス印字部１１０Ｂ、マークセンサ１１１Ｂ、カッタ部１１２Ｂ、搬送ベルト１１４Ｂ、折曲部１１５Ｂ、搬送ベルト１１６Ｂおよび撮像カメラ１０９Ｂが配置されたものである。
【０００５】
このような帳票丁合システム１０１は、第１帳票供給機構１０５において、第１帳票が連続した第１連続帳票１０７Ａ（主要印字面が搬送裏面とする）より用紙送りされる際に、符号読取センサ１０８Ａにより当該第１帳票の裏面に予め印字された例えばバーコードが読み取られると共に、撮像カメラ１０９Ａにより当該第１帳票の裏面に予め印字された例えば管理番号を撮像させて認識する。
【０００６】
続いて、ステルス印字部１１０Ａによりステルスインクで上記符号読取センサ１０８Ａで読み取られたグルーピングマークと同じ照合番号で当該第１帳票の主要印字面（搬送裏面）に印字が行われ、符号読取センサ１１１Ａが実際に印字されたかを判断するために当該照合番号を読み取る。ここで、ステルスインクは、直接的には目に見えないもので、特定波長の光をライトにより照射することで当該ステルスインク部分が励起して浮き出るように視認可能となるもので、通常の状態で視認不能とさせることができるものである。
【０００７】
続いて、カッタ部１１２Ａで枚葉の第１帳票１１３Ａにカッティングされて搬送ベルト１１４Ａを介して折曲部１１５Ａに送られ、ここで例えばＺ折りに加工されて搬送ベルト１１６Ａを介して丁合搬送ライン１０２の第１帳票供給位置に供給される。
【０００８】
また、第２帳票供給機構１０６では、第２帳票が連続した第２連続帳票１０７Ｂ（主要印字面が搬送上面とする）より用紙送りされる際に、符号読取センサ１０８Ｂにより当該第１帳票の裏面に予め印字された例えばバーコードが読み取られる。続いて、ステルス印字部１１０Ｂによりステルスインクで上記符号読取センサ１０８Ｂで読み取られたグルーピングマークと同じ照合番号で当該第２帳票に印字が行われ、符号読取センサ１１１Ｂが実際に印字されたかを判断するために当該照合番号を読み取る。
【０００９】
続いて、カッタ部１１２Ｂで枚葉の第２帳票１１３Ｂにカッティングされて搬送ベルト１１４Ｂを介して折曲部１１５Ｂに送られ、ここで例えばＺ折りに加工される。そして、搬送ベルト１１６Ｂを介して丁合搬送ライン１０２の第２帳票供給位置に上記第１帳票１１３Ａに丁合されるように供給される際に、撮像カメラ１０９Ｂにより第２帳票１１３Ｂに予め印字されている上記第１帳票１１３Ａと同様の管理番号を撮像させて認識する。
【００１０】
一方、丁合搬送ライン１０２では、第１帳票供給位置に供給された第１帳票１１３Ａにステルス印字された照合番号を符号読取センサ１０３で読み取り、当該第１および第２帳票１１３Ａ，１１３Ｂが丁合された丁合物１１７に対して、符号読取センサ１０４Ａ，１０４Ｂでステルス印字された照合番号を読み取って正規の丁合かをマッチング確認するものである。
【００１１】
【発明が解決しようとする課題】
しかしながら、上述のようにステルスインクによりそれぞれの帳票に印字を行ってマッチングの確認を行うことから、帳票の供給ラインだけステルス印字部１１０を設けなければならず、設備がコスト高になるという問題がある。また、ステルス印字後に各帳票を重ねて丁合することから、印字位置を帳票デザインや折曲形態により変更しなければならず、調整が煩雑となって効率が悪いという問題がある。さらに、丁合後の搬送中に重ねた帳票同士にずれを生じた場合にマッチング確認のための符号読み取りにおいて悪影響を生じ、正規にマッチングされた各帳票であるにもかかわらず、判別ミスを惹起するという問題がある。
【００１２】
そこで、本発明は上記課題に鑑みなされたもので、丁合された複数の帳票に対するマッチング確認を容易かつ確実に行わせ、システムの簡略化、低コスト化を図る帳票丁合システムを提供することを目的とする。
【００１３】
【課題を解決するための手段】
上記課題を解決するために、請求項１の発明では、複数種の帳票を個別毎に丁合させるものであって、少なくとも第１帳票と所定数の第２帳票とを搬送して丁合させる丁合搬送ラインと、前記丁合搬送ライン上の所定位置に枚葉毎の第１帳票を供給する第１帳票供給手段と、前記丁合搬送ライン上の所定位置に枚葉毎の第２帳票を所定数供給する第２帳票供給手段と、前記第１帳票および所定数の第２帳票の何れかを、丁合対象の帳票に対して丁合位置をずらせて重ね合わさせる位置規制手段と、前記丁合位置がずらされた第１帳票および所定数の第２帳票に対し、当該ずれ部分で互いに跨らせた一筆状のラインを印字するライン印字手段と、前記ライン印字手段で印字されたラインを検出するライン検出手段と、システム全体の駆動を制御するシステム制御手段と、前記ライン印字手段におけるライン印字を行う印字ヘッドを、前記所定の帳票の寸法範囲内で、丁合された丁合帳票毎に位置を変化させてライン印字させる制御を行う印字処理手段と、前記ライン検出手段で検出されたラインのずれを判別し、判別結果に応じた信号を前記システム制御手段に出力する丁合判別処理手段と、を有する構成とする。
【００１４】
請求項２〜４の発明では、「前記丁合搬送ラインに対して、前記第１および第２帳票以外の種類の帳票を所定種類供給する所定数の帳票供給機構を備え、当該帳票供給機構の設置数に応じた前記位置規制手段が設けられる」構成であり、
「前記位置規制手段は位置規制する帳票を前記丁合搬送ラインの搬送方向と垂直方向または同方向にずらせるもので、前記ライン印字手段が前記丁合された帳票に対して当該搬送方向と垂直方向または同方向にライン印字を行う」構成であり、
「前記ライン印字手段によるライン印字を、所定波長の励起光を照射することで視認状態となるステルスインクで行わせる」構成である。
【００１５】
このように、丁合搬送ラインに供給された第１および第２帳票を搬送方向と垂直方向または同方向にずらせ、当該ずれ部分で互いに跨らせた一筆状で印字ヘッドを帳票の寸法範囲内で丁合帳票毎に位置を変化させてラインを印字し、当該印字ラインを検出させる。すなわち、丁合後に印字したラインで互いの丁合対象のマッチング確認が行われることから、マッチング確認のための印字手段を丁合搬送ラインに供給する帳票供給機構毎に設ける必要がなく、システム構成を簡易かつ低コストで実現することが可能となる。また、印字ラインを検出することでずれによるマッチング確認が可能となって当該マッチング確認を容易かつ確実に行うことが可能となる。さらに、丁合後にライン印字を行うことから、帳票のデザイン形態に拘わらず印字位置等の調整を容易とさせることが可能となるものである。
【００１６】
【発明の実施の形態】
以下、本発明の好ましい実施形態を図により説明する。本実施形態は、本発明に係る帳票丁合システムを、丁合した各帳票をマッチング確認した後に、封緘体に封入し、封緘する封入封緘システムに使用される場合を示している。
【００１７】
図１に、本発明に係る帳票丁合システムの概念構成図を示す。図１に示す帳票丁合システム１１は、顧客毎に印字内容の異なる可変データ領域が設けられる所定種の第１帳票としてのいわゆる鑑（丁合される帳票の第１頁となる帳票）と、当該鑑と丁合対象となるもので、同様の可変データ領域が設けられる所定数の第２帳票である明細（鑑に続く頁となる帳票）とが搬送されて丁合されるもので、丁合対象間のマッチング確認を行うものである。
【００１８】
このような帳票丁合システム１１は、丁合搬送ライン１２に対して、鑑を供給する鑑供給機構１３および所定数の明細を供給する明細供給機構１４が配置される。丁合搬送ライン１２は、供給される枚葉毎の鑑１５（第１帳票）と供給される所定数の枚葉毎の明細１６（第２帳票）とを丁合するもので、いわゆるタクト搬送を行う。また、丁合搬送ライン１２上には、明細１６の供給位置に位置規制手段１７が配置され、次タクト部分にライン印字手段であるステルス印字処理部１９の印字ヘッド１９Ａが適宜可動自在に配置される。そして、所定数のタクト後に撮像カメラ２０が上方に配置される。
【００１９】
上記位置規制手段１７は、明細１６が供給位置で鑑１５上に重ね合わされて丁合される際に、当該丁合搬送ライン１２の搬送方向と垂直方向に当該明細１６をずらせるためのもので、固定ストッパ若しくは適宜可動自在なソレノイド等が使用される。上記ステルス印字処理部１９は、印字ヘッド１９Ａにより、丁合位置がずらされた鑑１５および所定数の明細１６に対し、当該ずれ部分で互いに跨らせた一筆状のラインを例えばステルスインクで印字する。
【００２０】
ステルスインクは、前述のように、所定波長の励起光を照射することで視認状態となるもので、上記撮像カメラ２０が当該励起光を照射して印字されたラインを撮像するものである。このステルスインクを用いることで、実際の帳票内容に対して余分な印字部分を非表示とさせることができるもので、該当の帳票に余分な印字が好まれない場合に有効である。そして、上記撮像カメラ２０による印字ラインの撮像に基づいて、鑑１５および対応の明細１６がマッチングされているかが確認されるものである。なお、ステルスインクによらず、通常の印字インクでもよい。
【００２１】
一方、鑑供給機構１３は、鑑１５が連続した鑑連続帳票２１から、丁合搬送ライン１２の供給タクトに対して、カッタ部２２、搬送ベルト２３、折曲部２４および搬送ベルト２５が順次配置される。鑑連続帳票２１は、配送先対象の個別の宛名、氏名等の情報が可変データで予め印字されたもので、この可変データで当該配送対象が特定されるものである。上記鑑連続帳票２１は、上記宛名等の印字面が下方（搬送裏面）の状態で供給する。
【００２２】
上記カッタ部２２は、送られてくる鑑連続帳票２１をカッティングして枚葉の鑑１５とし、上記搬送ベルト２３がカッティングされた枚葉の鑑１５を折曲部２４に搬送する。折曲部２４は、枚葉の鑑１５を例えば上記宛名等の印字部分が下方となるようにＺ折りに加工される。そして、搬送ベルト２５が丁合搬送ライン１２の供給位置に供給するものである。
【００２３】
また、明細供給機構１４は、上記鑑供給機構１３と同様の構成であり、明細１６が連続した明細連続帳票３１から、丁合搬送ライン１２の供給タクトに対して、カッタ部３２、搬送ベルト３３、折曲部３４および搬送ベルト３５が順次配置される。明細連続帳票１６は、上記鑑１５に続く個別内容の情報が可変データで予め印字されたもので、当該鑑１５に対して所定ページ数で供給される。上記明細連続帳票３１は、上記印字面が上方（搬送上面）の状態で供給する。
【００２４】
上記同様に、カッタ部３２は、送られてくる明細連続帳票３１をカッティングして枚葉の明細１６とし、上記搬送ベルト３３がカッティングされた枚葉の明細１６を折曲部３４に搬送する。折曲部３４は、枚葉の明細１６を例えばＺ折りに加工する。そして、搬送ベルト３５が丁合搬送ライン１２の供給位置に供給するものである。
【００２５】
上記帳票丁合システム１１は、システム全体が図示しないシステム制御手段で制御されるもので、特に鑑１５および明細１６の丁合は、それぞれに予め印字した印字情報に基づいて上記丁合搬送ライン１２上の明細１６の供給タクト上で行われる。そこで、まず、鑑供給機構１３では、鑑連続帳票２１より用紙送りされ、カッタ部２２で枚葉の鑑１５にカッティングされて搬送ベルト２３に送られる。ここで、鑑１５の枚数のカウントチェックを行ってもよい。
【００２６】
搬送ベルト２３で搬送された鑑１５は折曲部２４で宛名等の印字分を下面としてＺ折りに加工される。ここで、鑑１５の枚数のカウントチェックを行ってもよい。そして、搬送ベルト２５により丁合搬送ライン１２上の最初の鑑供給タクトに供給される。そして、タクト搬送により明細１６の供給位置に搬送される。
【００２７】
一方、明細供給機構１４では、明細連続帳票３１より用紙送りされ、カッタ部３２で枚葉の明細１６にカッティングされて搬送ベルト３３に送られる。ここで、明細１６の枚数のカウントチェックを行ってもよい。搬送ベルト３３で搬送された枚葉の明細１６は折曲部３４でＺ折りで加工される。ここで、明細１６の枚数のカウントチェックを行ってもよい。
【００２８】
そして、搬送ベルト３５の直前で、丁合搬送ライン１２上の明細供給タクトに鑑１５が搬送されるまで待機され、当該鑑１５が明細供給タクトに搬送されてきたときに重ねられるように該当の明細１６が供給される。このとき、位置規制手段１７により、当該鑑１５上で丁合搬送ライン１２における搬送方向と垂直方向に当該明細１６がずれて丁合されることで丁合物１８とされる。
【００２９】
上記丁合物１８は、次タクトでステルス印字処理部１９により印字ヘッド１９Ａがステルスインクで搬送方向と垂直方向にライン印字を行う。そして、数タクト間の搬送の後に、撮像カメラ２０が当該丁合物１８に印字されたラインを所定の励起光を照射して撮像する。撮像された印字ラインがずれているかが判別され、ずれていればシステムが停止されるものである。
【００３０】
ここで、図２に、本システムにおける帳票丁合の制御処理ブロック構成図を示す。図２（Ａ）は本システムにおける印字処理手段のブロック構成図、図２（Ｂ）は本システムにおける丁合判別処理手段のブロック構成図である。図２（Ａ）において、印字処理手段４１は、ライン印字処理手段４２、印字制御手段４３、位置制御手段４４、印字ヘッド駆動手段４５および乱数表４６を適宜備える。
【００３１】
上記ライン印字処理手段４２は、上記丁合物１８が印字位置に搬送されてきたことが図示しないセンサによって検出され、その媒体検出信号が入力されたときに位置制御手段４４および印字制御手段４３の処理を開始させる。上記印字処理手段４３は、上記印字ヘッド１９Ａの位置決めが完了したときにステルス印字処理部１９を駆動させてライン印字を行わせる。
【００３２】
上記位置制御手段４４は、乱数表４６に基づいて、丁合物１８毎に印字位置を変化させるもので、印字ヘッドを当該鑑１５および明細１６の寸法範囲内（ここでは搬送方向の幅範囲内）で移動させるための処理を行う。なお、乱数表４６によらず、位置を定められたシーケンスに基づいて順次変化させてもよい。そして、印字ヘッド駆動手段４５は、位置制御手段４４による印字ヘッドの移動制御信号に基づいてステルス印字処理部１９に駆動信号を送出する。
【００３３】
また、図２（Ｂ）に示す丁合判別処理手段５１は、判別手段５２および信号出力手段であるシステム停止信号出力手段５３を適宜備える。この判別手段５２は、上記撮像カメラ２０からの撮像データであるライン読取検出信号が入力されたときに、当該検出信号より印字ラインがどの程度ずれているかを判別するもので、設定される閾値に基づいてマッチングが正規か否かを判別する。上記システム停止信号出力手段５３は、上記判別手段５２が正規の丁合でないと判別したときに、図示しないシステム制御手段にシステム停止の信号を出力するものである。
【００３４】
そこで、図３に本システムにおける帳票丁合の概略説明図を示して、上記印字処理手段４１および丁合判別処理手段５１の動作を説明する。まず、丁合物１８が丁合搬送ライン１２上の印字位置に搬送されてきたときに、印字処理手段４１におけるライン印字処理手段４２が上述の媒体検出信号を入力する。このとき、位置制御手段４４が乱数表４６を参照して印字ヘッドの位置を特定し、印字ヘッド駆動手段４５が駆動信号をステルス印字処理部１９に送出する。
【００３５】
上記ステルス印字処理部１９は、駆動信号に基づいて印字ヘッド１９Ａを制御による位置に移動させる。当該印字ヘッド１９Ａの移動が完了したときに、印字制御手段４３による印字開始信号がステルス印字処理部１９に送出され、上述のようにライン印字が行われる。
【００３６】
続いて、ライン印字された丁合物１８が数タクト間搬送されて、撮像カメラ２０の位置に搬送されてきたときに、当該撮像カメラ２０により印字されたラインを撮像し、撮像データをライン読取検出信号として丁合判別処理手段５１に送出する。丁合判別処理手段５１における判別手段５２は、入力したライン読取検出信号における印字ラインがずれているか否かを、設定閾値を基準に判別する。
【００３７】
判別手段５２による判別の結果、図３（Ａ）に示すように、印字ライン６１（通常では視認できないが、説明上視認状態で表している）が鑑１５および明細１６が上記閾値の範囲内でずれていなければ正規の丁合物１８として判別することでマッチング確認を行う。一方、図３（Ｂ）に示すように、判別の結果が鑑１５および明細１６間でずれていれば、マッチングミスとしてエラー信号をシステム停止信号出力手段５３に送出する。システム停止信号出力手段５３では、システム制御手段にシステム停止の信号を出力してシステムを停止させるものである。
【００３８】
このように、鑑１５および明細１６の丁合後に印字ライン６１を同一タクト内で互いの丁合対象のマッチング確認が行われることから、マッチング確認のための印字を丁合搬送ラインに供給する帳票供給機構毎に設ける必要がなく、システム構成を簡易かつ低コストで実現することができるものである。また、印字ライン６１を検出することでずれによるマッチング確認が可能となって当該マッチング確認を容易かつ確実に行うことができる。
【００３９】
さらに、丁合後にライン印字を行うことから、帳票のデザイン形態に拘わらず印字位置等の調整を容易とすることができるものである。また、印字ヘッド１９Ａを移動させてライン印字を丁合物１８毎に変化させることで、マッチングミスであるにも拘わらず正規のマッチングであるとする誤った判別が回避され、マッチング確認の信頼性を向上させることができるものである。
【００４０】
なお、上記実施形態では、位置規制手段１７による明細１６の位置規制を、丁合搬送ライン１２における搬送方向と垂直方向としたが、搬送方向と同方向としてライン印字を同様に搬送方向と同方向としてもよい。また、位置規制手段１７による位置規制を明細１６を対象としたが、上記鑑供給機構１３と明細供給機構１４との配置を逆にすれば、鑑１５を位置規制の対象となるものである。さらに、上記実施形態では、帳票供給機構を鑑１５および明細１６の２種類を対象としてそれぞれを配置した場合を示したが、さらに種類があればその供給のための機構を順次増設させることも可能であり、これに応じた位置規制手段を当該丁合搬送ライン１２上の供給位置に所定数設ければよい。
【００４１】
次に、図４に、本システムが使用される封入封緘システムの概念構成図を示す。図４に示す封入封緘システム７１は、上記帳票丁合システム１１に続いて配置されるもので、当該帳票丁合システム１１の撮像カメラ２０の配置部分より示している。図６において、丁合搬送ライン７２の搬送方向先方に一部重複して並列に隣接された封入封緘搬送ライン７３が配置される。丁合搬送ライン７２においては上記帳票丁合システム１１の撮像カメラ２０が配置された搬送方向には、当該丁合搬送ライン７２に所定種類の同封帳票（例えばチラシ８１Ａ，８１Ｂ・・・）をそれぞれ供給する所定数の同封帳票供給部７４が当該丁合搬送ライン７２と同方向に配置される。
【００４２】
一方、封入封緘搬送ライン７３は、封緘体である封筒７６を供給する封筒供給部７５が配置され、封入、封緘後の封書８３に対する所定の搬送位置の下方に、例えばマーク（バーコードまたは番号）を読み取るための符号読取センサ７７が配置されるものである。
【００４３】
このような封入封緘システム７１は、正規に丁合された丁合物１８が所定数のタクト搬送後に、同封帳票供給部７４より所定の同封帳票（チラシ）８１Ａ，８１Ｂ・・・が順次供給されて丁合され、総ての同封帳票８１が丁合されて被封緘物８２として封入封緘位置まで搬送される。一方、封入封緘搬送ライン７３では、封筒供給部７５より封筒７６が封入位置の前段階で供給され、所定数のタクト間で当該封筒７６に被封緘物８２を封入し、封緘して封書８３とする。
【００４４】
封筒７６は、例えば窓が形成されたもので、封入された被封緘物８２における鑑１５に印字された宛名部分が当該窓より表出されるものである。封書８３は、下方に配置された符号読取センサ７７より表出した宛名部分の例えばマーク（バーコードまたは番号）が読み取られ、配送先が確認される。そして、図示しないスタッカに封書８３が順次ストックされるものである。
【００４５】
これにより、配送先に対して鑑１５および所定数の明細１６が確実にマッチングされた封書８３とすることができるもので、上記帳票丁合システム１１を当該封入封緘システム７１と合体させることで、システム全体として設備の簡略化、低コストかを図ることができるものである。
【００４６】
【発明の効果】
以上のように、請求項１〜３の発明によれば、丁合搬送ラインに供給された第１および第２帳票を搬送方向と垂直方向または同方向にずらせ、当該ずれ部分で互いに跨らせた一筆状で印字ヘッドを帳票の寸法範囲内で丁合帳票毎に位置を変化させてラインを印字し、当該印字ラインを検出させることにより、丁合された複数の帳票に対するマッチング確認を容易かつ確実に行わせてマッチング確認の信頼性を向上させることができ、システムの簡略化、低コスト化を図ることができるものである。
【００４７】
請求項４の発明によれば、ライン印字をステルスインクで行わせることにより、帳票に対してマッチング確認のための印字を通常では視認不能とさせることができ、実際の帳票内容に対して余分な印字部分を非表示とさせることができるものである。
【図面の簡単な説明】
【図１】本発明に係る帳票丁合システムの概念構成図である。
【図２】本システムにおける帳票丁合の制御処理ブロック構成図である。
【図３】本システムにおける帳票丁合の概略説明図である。
【図４】本システムが使用される封入封緘システムの概念構成図である。
【図５】従来の帳票丁合システムの概略説明図である。
【符号の説明】
１１                    帳票丁合システム
１２                    丁合搬送ライン
１３                    鑑供給機構
１４                    明細供給機構
１５                    鑑
１６                    明細
１７                    位置規制手段
１８                    丁合物
１９                    ステルス印字処理部
１９Ａ                  印字ヘッド
２０                    撮像カメラ
６１                    印字ライン
７１                    封入封緘システム
【図１】
0004353652.tif 000002
【図２】
0004353652.tif 000003
【図３】
0004353652.tif 000004
【図４】
0004353652.tif 000005
【図５】
0004353652.tif 000006